(57)【要約】磁気共鳴の力学的信号検出において、検出感度を格段に向上することができる磁気共鳴検出方法および装置を提供する。  磁気共鳴検出装置は、静磁場を発生する磁石（１）と、静磁場中に置かれる試料（３）に対して共鳴周波数の高周波磁場を印加する高周波コイル（２）と、試料（３）を配置する力学的振動部材としてのカンチレバー（４）と、カンチレバー（４）の振動を検出する振動検出装置とを備える。振動検出装置は、カンチレバー（４）にレーザー光を照射するレーザー装置（５）と、カンチレバー（４）で反射されたレーザー光を検出する光検出器（８）とを備える。【特許請求の範囲】
【請求項１】
静磁場中に置かれた試料に対して共鳴周波数の高周波磁場を印加し、このとき前記試料で生ずる過渡的章動運動信号および回転系エコー信号の少なくとも１つを力学的振動部材の振動として検出することを特徴とする磁気共鳴検出方法。
【請求項２】
前記静磁場が前記力学的振動部材の外部に配置された磁石により発生され、前記試料が前記力学的振動部材に配置されることを特徴とする請求項１記載の磁気共鳴検出方法。
【請求項３】
前記静磁場が前記力学的振動部材の外部に配置された磁石により発生され、前記試料が前記力学的振動部材に固定された強磁性体に近接配置されることを特徴とする請求項１記載の磁気共鳴検出方法。
【請求項４】
前記静磁場が前記力学的振動部材に固定された磁石により発生され、前記試料が前記力学的振動部材に固定された磁石に近接配置されることを特徴とする請求項１記載の磁気共鳴検出方法。
【請求項５】
静磁場を発生する磁石と、前記静磁場中に置かれる試料に対して共鳴周波数の高周波磁場を印加する高周波コイルと、前記試料を配置する又は前記試料に近接配置される力学的振動部材と、前記力学的振動部材の振動を検出する振動検出装置とを備えたことを特徴とする磁気共鳴検出装置。
【請求項６】
前記振動検出装置が、前記力学的振動部材にレーザー光を照射するレーザー装置と、前記力学的振動部材で反射されたレーザー光を検出する光検出器とを備えたことを特徴とする請求項５記載の磁気共鳴検出装置。
【請求項７】
前記力学的振動部材が、カンチレバーであることを特徴とする請求項５または６に記載の磁気共鳴検出装置。
【請求項８】
前記力学的振動部材が、コイルスプリングであることを特徴とする請求項５または６に記載の磁気共鳴検出装置。
【発明の詳細な説明】
【技術分野】
【０００１】  本発明は、力学的検出法を用いた磁気共鳴の信号検出方法および装置に関するものである。
【背景技術】
【０００２】  磁気共鳴の信号検出方法としては、通常、共鳴周波数の共振回路を用いて横磁化（静磁場の方向に対し垂直方向の巨視的磁化成分）を検出する方法が用いられている。これに対し、より高感度の信号検出を目指して、ＳＱＵＩＤ磁束計を用いた信号検出法や、カンチレバーを用いた力学的検出法などが試みられている。特に、力学的検出法は通常の検出法に比べ、信号検出感度が格段に高いため、この方法を用いて、原子レベルの分解能をもったマイクロイメージングを目指した研究、開発が進められている（非特許文献１）。
【非特許文献１】Ｓｉｄｌｅｓ  ｅｔ  ａｌ．，″Ｍａｇｎｅｔｉｃ  ｒｅｓｏｎａｎｃｅ  ｆｏｒｃｅ  ｍｉｃｒｏｓｃｏｐｙ″，Ｒｅｖｉｅｗｓ  ｏｆ  Ｍｏｒｄｅｒｎ  Ｐｈｙｓｉｃｓ，Ｖｏｌ．６７，Ｎｏ．１，Ｊａｎｕａｒｙ  １９９５，ｐｐ．２４９−２６５
【０００３】  従来の力学的検出法は、例えば、カンチレバーの先端に試料を載せ、静磁場中にセットし、静磁場の方向と垂直な方向にセットした高周波コイルから巨視的磁化を反転させる１８０度パルスを印加し、１８０度パルス印加前と印加後のカンチレバーの変位を光学的に検出するものである。
【発明の開示】
【発明が解決しようとする課題】
【０００４】  従来の力学的検出法では、１回の高周波パルス印加によって、ただ１回だけの信号検出が行われており、信号検出効率が低い。このため、信号検出効率を高める方法として、例えば、１８０度パルスを印加し、続いて、周波数変調した振幅の小さい高周波磁場を印加し、断熱高速通過によって磁化を繰り返し反転させた時の信号をカンチレバーの振動として検出する手法も試みられている。しかし、この方法は、１８０度パルス印加から信号検出まで時間遅れがあり、最も信号強度が高い時点の信号を検出できないので、検出感度を最大限に向上させたい場合には不利である。マイクロイメージングの空間分解能を１桁高めるためには、信号検出感度を３桁高めなければならないので、信号検出感度の向上はマイクロイメージング技術において最も重要な課題の一つである。
従って本発明の目的は、磁気共鳴の力学的信号検出において、検出感度を格段に向上することができる磁気共鳴検出方法および装置を提供することにある。
【課題を解決するための手段】
【０００５】  上記目的は、静磁場中に置かれた試料に対して共鳴周波数の高周波磁場を印加し、このとき前記試料で生ずる過渡的章動運動信号および回転系エコー信号の少なくとも１つを力学的振動部材の振動として検出する磁気共鳴検出方法により、達成される。前記静磁場は前記力学的振動部材の外部に配置された磁石により発生され、前記試料は前記力学的振動部材に配置されるようにすることができる。また、前記静磁場は前記力学的振動部材の外部に配置された磁石により発生され、前記試料は前記力学的振動部材に固定された強磁性体に近接配置されるようにすることができる。さらに、前記静磁場は前記力学的振動部材に固定された磁石により発生され、前記試料は前記力学的振動部材に固定された磁石に近接配置されるようにすることができる。【０００６】  また、上記目的は、静磁場を発生する磁石と、前記静磁場中に置かれる試料に対して共鳴周波数の高周波磁場を印加する高周波コイルと、前記試料を配置する又は前記試料に近接配置される力学的振動部材と、前記力学的振動部材の振動を検出する振動検出装置とを備えた磁気共鳴検出装置により、達成される。前記振動検出装置は、前記力学的振動部材にレーザー光を照射するレーザー装置と、前記力学的振動部材で反射されたレーザー光を検出する光検出器とを備えて構成することができる。前記力学的振動部材は、例えばカンチレバーまたはコイルスプリングとすることができる。
【発明の効果】
【０００７】  本発明によれば、磁気共鳴の力学的信号検出において、検出感度の極めて良好な磁気共鳴検出方法および装置を得ることができる。
【図面の簡単な説明】
【０００８】
【図１】回転座標系における磁化の動きの一例を示す図である。
【図２】（ａ）は回転磁場（高周波磁場）Ｂ１を生成する高周波パルスの一例を示す図、（ｂ）は過渡的章動運動信号の一例を示す図である。
【図３】回転系エコーのための高周波パルスの一例を示す図である。
【図４】本発明に係る磁気共鳴検出装置の一実施例を示す図である。
【図５】常磁性イオンをドープした水のプロトンの過渡的章動運動信号の一例を示すグラフである。
【図６】コイルスプリングを用いた例の装置要部を示す図である。
【図７】本発明に係る磁気共鳴検出装置の他の実施例を示す図である。
【図８】本発明に係る磁気共鳴検出装置のさらに他の実施例を示す図である。
【図９】本発明に係る磁気共鳴検出装置のさらに他の実施例を示す図である。
【図１０】常磁性イオンをドープした水のプロトンの回転系エコー信号の一例を示すグラフである。
【符号の説明】
【０００９】  １  磁石
２  高周波コイル
３  試料
４  カンチレバー
５  レーザー装置
６，７  光ファイバ
８  光検出器
１０  高周波発信器
１１  パルス発生器
１２  変調器
１３  高周波増幅器
１５  増幅器
１６  演算処理装置
１７  記憶装置
１８  表示装置
【発明を実施するための最良の形態】
【００１０】  以下、本発明の実施例を説明するが、その前にまず本発明の原理について説明す  る。
本発明は、例えば測定対象の試料をカンチレバーに載せ、これに共鳴周波数の回転磁場（高周波磁場）Ｂ１を急峻に即ちパルス的（非断熱的）に印加し、一定時間持続させ、このとき引き起こされる巨視的磁化の過渡的章動運動（Ｔｒａｎｓｉｅｎｔ  ｎｕｔａｔｉｏｎｓ）信号をカンチレバーの振動として検出する。過渡的章動運動については、例えばＡｂｒａｇａｍ，″Ｐｒｉｎｃｉｐｌｅｓ  ｏｆ  Ｎｕｃｌｅａｒ  Ｍａｇｎｅｔｉｓｍ″，Ｃｌａｒｅｎｄｏｎ  Ｐｒｅｓｓ，Ｏｘｆｏｒｄ，１９６１，ｐｐ．６８−７０に記載されている。【００１１】  図１は、回転座標系における磁化の動きの一例を示す図である。測定対象の試料に、一様な静磁場Ｂ０をかけると、試料中の原子核磁石は静磁場の方向（ｚ’）を軸とした歳差運動を行う。この運動の角周波数ω０は、試料中の原子核の核磁気回転比をγとすると、ω０＝γＢ０で与えられる。この静磁場Ｂ０に対して垂直な面内（ｘ’，ｙ’）で回転する回転磁場Ｂ１を加えると、核磁気モーメントＭは、静磁場Ｂ０と回転磁場Ｂ１の合成ベクトルの有効磁場（大きさＢｅｆｆ＝（１／γ）［（ω０−ω）２＋ω１２］１／２を軸として歳差運動を行う。これを章動運動（ｎｕｔａｉｏｎ）という。そして、回転座標系で原子核に作用している有効磁場がＢ１のみのとき、すなわち共鳴時（ω＝ω０）には、核磁気モーメントＭは、回転磁場Ｂ１の方向（ｘ’）を軸として、ω１＝γＢ１という角周波数で回転することになる。【００１２】  図２（ａ）は回転磁場（高周波磁場）Ｂ１を生成する高周波パルスの一例を示す図、（ｂ）は過渡的章動運動信号の一例を示す図である。図２に示すように、回転磁場（高周波磁場）Ｂ１の印加中は章動運動信号が観測され、共鳴点における章動運動の角周波数（章動周波数）ω１は、上述のとおり、ω１＝γＢ１、減衰の時定数Ｔｎは、縦緩和時間（スピン−格子緩和時間）をＴ１、横緩和時間（スピン−スピン緩和時間）をＴ２とすると、高周波磁場Ｂ１の均一度が十分高い場合には、２／Ｔｎ＝（１／Ｔ１）＋（１／Ｔ２）である。【００１３】  これにより、試料を載せたカンチレバーは章動周波数ω１に基づいて振動する。この振動を光学的に検出し、磁気共鳴信号を得る。このときカンチレバーの固有振動数と章動周波数ω１を一致させれば、検出感度が大幅に増大する。この場合、検出された光信号は電気信号に変換した後、交流増幅するので、通常の１８０度パルス印加の場合のカンチレバー変位の直流的検出に比べ外的擾乱の影響を受け難い利点があり、高感度検出が可能である。
また、本発明は断熱高速通過法に比べ、高周波パルス印加と同時に信号を検出できる。従って、最も信号強度の高い信号を失うことなく検出できるので、信号検出感度が高いという利点がある。【００１４】  さらに、断熱高速通過法では１８０度パルスと、断熱高速通過法による磁化反転のための周波数変調した振幅の小さい高周波パルスの２種の高周波パルスが必要であるが、本発明では１種類の高周波パルスを用いるだけなので、装置構成が簡単であるという利点もある。静磁場勾配を利用する場合、カンチレバー等の変位に伴ってスピン系の感じる静磁場強度が変化するが、静磁場強度変化量ΔＢ０に比べ十分大きな高周波磁場Ｂ１を用いれば観測信号に対するΔＢ０の影響を避けることができる。【００１５】  高周波電力はできるだけ小さくすることが望ましい。小さな高周波電力で十分な大きさの高周波磁場Ｂ１を得るためには、一般に高周波コイルの形状を小さくするが、コイル形状を小さくすると高周波磁場Ｂ１の均一度が低下する。過渡的章動運動の減衰の時定数は高周波磁場Ｂ１の均一度の影響を受け、均一度が低い場合には短縮する。高周波磁場Ｂ１の不均一性をΔＢ１とすると、観測される過渡的章動運動信号の減衰時定数Ｔｎ＊は、１／Ｔｎ＊＝１／Ｔｎ＋（γΔＢ１／２）である。ここで、γは試料中のスピンの磁気回転比（測定対象としているスピンの磁気回転比）である。このため、信号検出効率が低下する。これを避けるためには回転系エコー信号（Ｒｏｔａｒｙ  ｅｃｈｏ）をカンチレバー等の振動として観測すればよい。【００１６】  図３は、回転系エコーのための高周波パルスの一例を示す図である。図３において、符号＋と−は高周波位相の反転を示すものである。図示のように、時刻ｔ＝０において、試料中の測定対象とするスピンの共鳴周波数の高周波磁場Ｂ１を急峻に即ちパルス的（非断熱的）に印加すると章動運動信号（図示しない）が観測される。時刻ｔ＝τにおいて高周波磁場Ｂ１の位相を反転（１８０度移相）させると、時刻ｔ＝２τに回転系エコー信号が観測される。時刻ｔ＝（２ｎ＋１）τに、高周波磁場Ｂ１の位相反転を繰り返すと、時刻ｔ＝２ｎτに回転系エコー信号が観測される（例えば後述の図１０）。ここでｎは０を含まない整数である。位相反転速度（反転周波数）を十分速くすれば、回転系エコー信号は高周波磁場の不均一性の影響を受けないで、Ｔｎを時定数とした減衰をするので高効率の信号検出ができる。また、過渡的章動運動信号および回転系エコー信号の両方をカンチレバー等の振動として検出してもよい。
【実施例１】
【００１７】  図４は、本発明に係る磁気共鳴検出装置の一実施例を示す図である。本装置は、図示のように、静磁場Ｂ０を発生させる磁石１と、静磁場勾配が存在する位置に設置された、磁力線に対して垂直方向に軸を持つ高周波コイル２とを備える。高周波コイル２はソレノイド、ヘルムホルツ型、鞍型等で形状は問わないが、発生する高周波磁場Ｂ１の均一度が高いものが望ましい。また、高周波磁場Ｂ１のほぼ中央部に試料３がくるように、一端（先端）に試料３が配置、例えば固定され、他端を固定したカンチレバー４が設置される。カンチレバー４の背面は鏡面加工され、高い光反射率を持たせる。レーザー装置５は、光ファイバ６を介して、カンチレバー４の鏡面加工部をレーザー光照射する。その反射光は、光ファイバ７を介して、光検出器８で検出される。このとき、光ファイバ６，７は、カンチレバー４の変位に従って光検出器８の入射光量が変化するように設置される。即ち、レーザー装置５、光検出器８等がカンチレバー４の振動を検出する振動検出装置を構成する。【００１８】  一方、高周波発信器１０は高周波信号を発信し、パルス発生器１１はパルス信号を発生する。変調器１２は、パルス信号を高周波信号で変調して出力する。変調器１２の出力は、高周波増幅器１３により増幅され、比較的持続時間の長い高周波パルスとして、高周波コイル２に供給される。これにより、試料中のスピンの共鳴周波数の高周波磁場Ｂ１が急峻に即ちパルス的（非断熱的）に印加され、一定時間持続され、巨視的磁化の過渡的章動運動（Ｔｒａｎｓｉｅｎｔ  ｎｕｔａｔｉｏｎｓ）を起こさせることができる。高周波磁場強度は静磁場の不均一性およびカンチレバー等の変位に伴ってスピン系の感じる静磁場強度の変化量に比べ十分大きな値に設定することが望ましい。高周波磁場印加中は高周波磁場の軸の周りに巨視的磁化が回転するので、それに従って静磁場と巨視的磁化の間に働く力が変化する。その結果、試料３を固定したカンチレバー４は周波数ω１／２πで振動する。このカンチレバー４の振動は、上述のとおり、レーザー装置５により、光ファイバ６を介して、カンチレバー４の鏡面加工部にレーザー光を照射し、その反射光を光ファイバ７を介して光検出器８により検出することにより観測される。【００１９】  図５は、常磁性イオンをドープした水のプロトンの過渡的章動運動信号の一例を示すグラフである。本グラフの横軸は時間（ｍｓ）、縦軸は過渡的章動運動信号の振幅〈Ｘａ〉（Ｖ）である。光検出器８は、過渡的章動運動信号を検出するため、カンチレバー４の変位に従って変化する光信号を電気信号に変換し、カンチレバー４の変位量に対応した振幅を持った周波数ω１／２πの交流電気信号を観測する。この電気信号は増幅器１５で増幅される。コンピュータを備えた演算処理装置１６は、この電気信号を処理し、その処理結果は記憶装置１７に記憶され、また表示装置１８に表示される。【００２０】  回転磁場（高周波磁場）Ｂ１の大きさを１Ｇとすると、測定対象スピンがプロトンの場合、ω１／２π＝４．２５ｋＨｚ、電子スピンの場合は２．８ＭＨｚである。章動運動周波数をカンチレバーの共振周波数に一致させれば、信号検出感度はさらに向上させることができる。��出用レーザー光に章動運動周波数に比べ十分高い周波数で変調したレーザー光を用いれば、位相検波が適用できるので更にＳ／Ｎの高い測定が可能である。また、カンチレバーの変位は光干渉計を用いて検出してもよい。【００２１】  図６は、図４におけるカンチレバーに代えてコイルスプリングを用いた例の装置要部を示す図である。本例においては、レーザー装置５から、光ファイバ６を介して、コイルスプリング６０をレーザー光照射する。レーザー光はコイルスプリング６０の下部に設けられた鏡面部６１で反射される。その反射光は、光ファイバ７を介して、光検出器８で検出される。回転磁場（高周波磁場）Ｂ１の印加中は高周波磁場Ｂ１の軸の周りに巨視的磁化が回転するので、それに従って静磁場と巨視的磁化の間に働く力が変化する。その結果、試料３を固定したコイルスプリング６０が上記カンチレバー４の場合と同様に振動する。このとき、光ファイバ６，７は、コイルスプリング６０の変位に従って光検出器８の入射光量が変化するように設置される。【００２２】  本発明における磁気共鳴の力学的信号検出は、上述のように、カンチレバーやコイルスプリングからなる力学的振動部材を用いて行うことができるが、これに限定されることなく、例えばシーソー等の他の力学的振動部材を用いて行うこともできる。このことは、以下に述べる他の実施例についても同様である。
【実施例２】
【００２３】  図７は、本発明に係る磁気共鳴検出装置の他の実施例を示す図である。本実施例が実施例１と異なる点は、カンチレバー４の一端（先端）に永久磁石７０の微粒子を付着させ、他端を固定している点、および試料３を試料台９に配置した点である。本実施例には、実施例１におけるような磁石１は設けられない。【００２４】  本実施例では、図示のように、カンチレバー４の永久磁石７０の部位に、これと接触せず、永久磁石７０のつくる磁力線に対し垂直方向の高周波磁場Ｂ１を発生する高周波コイル２が設置されている。高周波コイル２の中央部で永久磁石７０の微粒子のごく近傍に測定試料３が固定される。即ち試料３はカンチレバー４に固定された磁石７０に近接配置される。本実施例においても、実施例１の場合と同様に、高周波発信器１０、パルス発生器１１、変調器１２、高周波増幅器１３を用いて、比較的持続時間の長い高周波パルスを発生させ、高周波コイル２に高周波電流を供給する。試料中のスピンの共鳴周波数の高周波磁場Ｂ１を急峻に即ちパルス的（非断熱的）に印加し、一定時間持続させ、巨視的磁化に過渡的章動運動おこさせる。高周波磁場Ｂ１の強度は静磁場の不均一性およびカンチレバー等の変位に伴ってスピン系の感じる静磁場強度の変化量に比べ十分大きな値に設定することが望ましい。高周波磁場Ｂ１の印加中は高周波磁場Ｂ１の軸の周りに巨視的磁化が回転するので、それに従って永久磁石７０の微粒子が発生する静磁場と巨視的磁化の間に働く力が変化する。その結果、カンチレバー４は周波数ω１／２πで振動し、光検出器８からはカンチレバー４の変位量に対応した振幅を持った周波数ω１／２πの交流電気信号が観測される。章動運動周波数をカンチレバーの共振周波数に一致させれば、信号検出感度はさらに向上させることができる。カンチレバー４の変位の検出には光干渉計を用いてもよい。
【実施例３】
【００２５】  図８は、本発明に係る磁気共鳴検出装置のさらに他の実施例を示す図である。本実施例が実施例２と異なる点は、カンチレバー４の一端（先端）に永久磁石ではなく強磁性体８０の微粒子を付着させた点である。試料３はカンチレバー４に固定された強磁性体８０に近接配置される。本実施例には、実施例１と同様に磁石１が設けられる。このように本実施例は、実施例２の永久磁石微粒子を永久磁石でない強磁性体に換え、外部から静磁場を加えて、強磁性体８０の微粒子近傍に大きな磁場勾配を発生させるものである。これにより、上記実施例２と同様に、試料台９に配置された試料３に印加される高周波磁場Ｂ１に応じて、カンチレバー４が振動し、光検出器８からはカンチレバー４の変位量に対応した振幅を持った交流電気信号が観測される。
【実施例４】
【００２６】  図９は、本発明に係る磁気共鳴検出装置のさらに他の実施例を示す図である。本実施例が実施例１と異なる点は、上述のような過渡的章動運動信号ではなく、回転系エコー信号（Ｒｏｔａｒｙ  ｅｃｈｏ）を、カンチレバー等の力学的振動部材の振動として検出する点にある。そのため後述するように位相検波器が設けられる。【００２７】  本実施例では、図示のように、実施例１の場合と同様に、磁石１によって静磁場Ｂ０を発生させる。磁力線に対して垂直方向に軸を持つ高周波コイル２を静磁場勾配が存在する位置に設置する。高周波コイル２はソレノイド、ヘルムホルツ型、鞍型等で形状は問わない。高周波磁場Ｂ１のほぼ中央部に試料３がくるように、一端に試料が配置、例えば固定され、他端を固定したカンチレバー４が設置される。カンチレバー４の背面は鏡面加工し、高い光反射率を持たせる。カンチレバー４はレーザー装置５により光ファイバ６を介してレーザー光照射され、その反射光が光ファイバ７を介して光検出器８で検出される。このとき、カンチレバー４の変位に従って光検出器８の入射光量が変化するような設置にする。【００２８】  一方、高周波発信器１０、パルス発生器１１、変調器１２、高周波増幅器１３を用いて、高周波コイル２に高周波電流を供給する。本実施例では、時刻ｔ＝０において、試料３中のスピンの共鳴周波数の高周波磁場Ｂ１を急峻に即ちパルス的（非断熱的）に印加する。そして、図３に示すように、時刻ｔ＝τで高周波磁場Ｂ１の位相を反転（１８０度移相）させる。これにより、時刻ｔ＝２τにおいて回転系エコー信号がカンチレバー４の振動として観測される。時刻ｔ＝（２ｎ＋１）τで、高周波磁場Ｂ１の位相反転を繰り返すと、時刻ｔ＝２ｎτに回転系エコー信号が光検出器８により検出される。ここでｎは０を含まない整数である。位相反転速度（反転周波数）を十分速くすれば、回転系エコー信号は高周波磁場の不均一性の影響を受けないで、Ｔｎを時定数とした減衰をするので高効率の信号検出ができる。【００２９】  図１０は、常磁性イオンをドープした水のプロトンの回転系エコー信号の一例を示すグラフである。本グラフの横軸は時間（ｍｓ）、縦軸は回転系エコー信号の振幅〈Ｘａ〉（Ｖ）である。光検出器８はカンチレバー４の変位に従って変化する光信号を電気信号に変換し、増幅器１５はこれを増幅する。位相検波器１９は、この増幅された電気信号を入力し、位相反転周波数を参照波とした位相検波を行う。コンピュータを備えた演算処理装置１６は、この位相検波信号を処理し、その処理結果は記憶装置１７に記憶され、また表示装置１８に表示される。これにより更に高感度の信号検出を行うことができる。高周波磁場強度は静磁場の不均一性およびカンチレバー等の変位に伴ってスピン系の感じる静磁場強度の変化量に比べ十分大きな値に設定することが望ましい。
【産業上の利用可能性】
【００３０】  本発明は、例えば、磁気共鳴マイクロイメージング、磁気共鳴マイクロスペクトロスコピー等に適用することができ、微小試料の内部の不可視情報を可視化することが可能となり、物質、材料研究分野における新しい物性研究手段となり得る。本発明は、究極的には、蛋白等の生体分子をはじめとする分子の立体構造、特定スピンの空間分布の計測等、広範な分野で使用することができる。
【図１】
2005033684.tif 000002
【図２】
2005033684.tif 000003
【図３】
2005033684.tif 000004
【図４】
2005033684.tif 000005
【図５】
2005033684.tif 000006
【図６】
2005033684.tif 000007
【図７】
2005033684.tif 000008
【図８】
2005033684.tif 000009
【図９】
2005033684.tif 000010
【図１０】
2005033684.tif 000011
【国際調査報告】
2005033684.tif 000012
2005033684.tif 000013
2005033684.tif 000014
2005033684.tif 000015